(57)【要約】【課題】小型化が図れるとともに、記録媒体の取り外しを容易とする記録媒体駆動装置を提供する。【解決手段】記録媒体駆動装置５は、記録媒体ＭＣを挿抜可能とし、記録媒体ＭＣを装着した際に記録媒体ＭＣを駆動可能とする記録媒体駆動装置である。この記録媒体駆動装置５は、記録媒体ＭＣを挿入可能とする開口部５１１を有するベゼル５１と、ベゼル５１の開口部５１１周縁において、開口部５１１を閉塞する閉位置Ｃｐ、および開口部５１１を開放する開位置Ｏｐに回動自在に設けられた一対の蓋体５２とを備える。【選択図】図６
2008146443.tif 000002
【特許請求の範囲】
【請求項１】
記録媒体を挿抜可能とし、前記記録媒体が装着された際に前記記録媒体を駆動可能とする記録媒体駆動装置であって、
前記記録媒体を挿入可能とする開口部を有するベゼルと、
前記ベゼルの前記開口部周縁において、前記開口部を閉塞する閉位置、および前記開口部を開放する開位置に回動自在に設けられた一対の蓋体とを備えていることを特徴とする記録媒体駆動装置。
【請求項２】
請求項１に記載の記録媒体駆動装置において、
前記一対の蓋体は、前記記録媒体の挿抜時に前記記録媒体に当接しつつ前記閉位置および前記開位置を回動し、
前記一対の蓋体における互いに対向する各端部には、前記閉位置において、他方の前記蓋体側に向けて突出する突出部と、他方の前記蓋体における前記突出部が配置される凹部とがそれぞれ形成されていることを特徴とする記録媒体駆動装置。
【請求項３】
請求項１または請求項２に記載の記録媒体駆動装置において、
前記一対の蓋体は、前記記録媒体の挿抜時に前記記録媒体に当接しつつ前記閉位置および前記開位置を回動し、
前記一対の蓋体における互いに対向する各端部には、前記記録媒体が装着された際に前記記録媒体に当接する部分に曲面形状を有する曲面部が形成されていることを特徴とする記録媒体駆動装置。
【請求項４】
請求項１から請求項３のいずれかに記載の記録媒体駆動装置において、
前記記録媒体は、当該記録媒体駆動装置に装着されて所定の処理がなされるカード状の記録媒体であることを特徴とする記録媒体駆動装置。
【請求項５】
光源装置と、前記光源装置から射出された光束を画像情報に応じて変調する光変調装置と、前記光変調装置にて変調された光束を拡大投射する投射光学装置とを備えたプロジェクタであって、
請求項１から請求項４のいずれかに記載の記録媒体駆動装置を備えていることを特徴とするプロジェクタ。
【発明の詳細な説明】
【技術分野】
【０００１】
本発明は、記録媒体駆動装置、およびプロジェクタに関する。
【背景技術】
【０００２】
従来、ＤＶＤ(Digital Versatile Disc)等のディスク状の記録媒体や、ＰＣ(Personal Computer)カード、メモリカード等のカード状の記録媒体等を装着可能とし、記録媒体が装着されることで記録媒体を駆動（記録媒体の記憶領域にアクセス（読み書き等））可能とする記録媒体駆動装置が知られている。
このような記録媒体駆動装置では、通常、記録媒体を挿入可能とする開口部に回動自在な蓋体が設けられ、蓋体により開口部を介した内部への塵埃の侵入を防止している（例えば、特許文献１参照）。
【０００３】
【特許文献１】特開２００１−１４０６１号公報
【発明の開示】
【発明が解決しようとする課題】
【０００４】
特許文献１に記載の技術では、１枚の蓋体にて開口部（挿入口）を閉塞する構成としている。しかしながら、このように１枚の蓋体にて開口部を閉塞する構成とした場合には、蓋体の外形寸法（回動軸に直交する方向の寸法）を、開口部を閉塞可能とする寸法とする必要がある。すなわち、蓋体の回動範囲内に記録媒体が装着される部材（カードホルダ、コネクタ等）を配設できないため、蓋体の外形寸法（回動軸に直交する方向の寸法）が大きい分、開口部と前記部材との間隔を大きくする必要がある。このため、記録媒体駆動装置の小型化が図れない、という問題がある。また、開口部と前記部材との間隔が大きいため、記録媒体の取り外しが行い難い、という問題がある。
【０００５】
本発明の目的は、小型化が図れるとともに、記録媒体の取り外しを容易とする記録媒体駆動装置、およびプロジェクタを提供することにある。
【課題を解決するための手段】
【０００６】
本発明の記録媒体駆動装置は、記録媒体を挿抜可能とし、前記記録媒体が装着された際に前記記録媒体を駆動可能とする記録媒体駆動装置であって、前記記録媒体を挿入可能とする開口部を有するベゼルと、前記ベゼルの前記開口部周縁において、前記開口部を閉塞する閉位置、および前記開口部を開放する開位置に回動自在に設けられた一対の蓋体とを備えていることを特徴とする。
本発明では、記録媒体駆動装置は、ベゼルと、一対の蓋体とを備え、一対の蓋体によりベゼルの開口部を閉塞可能とする。このことにより、一対の蓋体にて開口部を閉塞する構成とすることで、従来の１枚の蓋体を用いた構成と比較して、各蓋体の外形寸法（回動軸に直交する方向の寸法）を小さくできる。このため、各蓋体の外形寸法（回動軸に直交する方向の寸法）を小さくした分、ベゼルと記録媒体が装着される部材との間隔を小さくでき、記録媒体駆動装置の小型化が図れるとともに、記録媒体の取り外しを容易とする。
【０００７】
本発明の記録媒体駆動装置では、前記一対の蓋体は、前記記録媒体の挿抜時に前記記録媒体に当接しつつ前記閉位置および前記開位置を回動し、前記一対の蓋体における互いに対向する各端部には、前記閉位置において、他方の前記蓋体側に向けて突出する突出部と、他方の前記蓋体における前記突出部が配置される凹部とがそれぞれ形成されていることが好ましい。
ところで、一対の蓋体として、記録媒体の挿抜時に記録媒体に当接しつつ閉位置および開位置を回動する構成とした場合、すなわち、開位置において記録媒体に当接している構成とした場合には、各蓋体の外形寸法（回動軸に直交する方向の寸法）が小さい分、開位置において、各蓋体と記録媒体とのなす角度が比較的に大きいものとなる。このような状態において、記録媒体を記録媒体駆動装置から取り外す場合には、各蓋体の先端部分が記録媒体に引っ掛かってしまう恐れがある。
【０００８】
本発明では、一対の蓋体における互いに対向する各端部には、突出部がそれぞれ形成されている。すなわち、一対の蓋体は、開位置において、各突出部の先端部分が記録媒体に当接する構成となる。このことにより、各突出部により、各蓋体を部分的に大きい外形寸法（回動軸に直交する方向の寸法）とし、開位置において、各蓋体と記録媒体との成す角度を比較的に小さいものとすることができる。このため、記録媒体を記録媒体駆動装置から取り外す場合に、各蓋体（各突出部）の先端部分が記録媒体に引っ掛かってしまうことを回避でき、記録媒体の取り外しを良好に実施できる。
また、一対の蓋体における互いに対向する各端部には、他方の蓋体の突出部に対応して凹部がそれぞれ形成されている。このことにより、閉位置において、各蓋体（各突出部）が機械的に干渉することを回避し、各蓋体にて開口部を良好に閉塞できる。
【０００９】
本発明の記録媒体駆動装置では、前記一対の蓋体は、前記記録媒体の挿抜時に前記記録媒体に当接しつつ前記閉位置および前記開位置を回動し、前記一対の蓋体における互いに対向する各端部には、前記記録媒体が装着された際に前記記録媒体に当接する部分に曲面形状を有する曲面部が形成されていることが好ましい。
本発明では、一対の蓋体における互いに対向する各端部には、曲面部が形成されている。すなわち、一対の蓋体は、開位置において、曲面部が記録媒体に当接する構成となる。このことにより、例えば曲面部を形成しない構成と比較して、記録媒体を記録媒体駆動装置から取り外す場合に、各蓋体の先端部分が記録媒体に引っ掛かってしまうことを回避でき、記録媒体の取り外しを良好に実施できる。
【００１０】
本発明の記録媒体駆動装置では、前記記録媒体は、当該記録媒体駆動装置に装着されて所定の処理がなされるカード状の記録媒体であることが好ましい。
ところで、従来の構成では、開口部とカードホルダやコネクタ等のカードが装着される部材との間隔が大きいため、例えばイジェクトボタンを押してカードを取り出す際、開口部からのカードの突出量が少なくなる。このため、利用者は、開口部から突出したカードを手（指）で把持し難く、カードを記録媒体駆動装置から取り出し難いものである。
本発明では、上述したように、ベゼルとカード状の記録媒体が装着される部材（カードホルダやコネクタ等のカードコネクタ）との間隔を小さくできるため、カードを取り出す際、開口部からのカードの突出量を十分に確保できる。このため、利用者は、開口部から突出したカードを手（指）で把持し易く、カードを記録媒体駆動装置から取り出し易いものとなる。
【００１１】
本発明のプロジェクタは、光源装置と、前記光源装置から射出された光束を画像情報に応じて変調する光変調装置と、前記光変調装置にて変調された光束を拡大投射する投射光学装置とを備えたプロジェクタであって、上述した記録媒体駆動装置を備えていることを特徴とする。
本発明のプロジェクタは、上述した記録媒体駆動装置を備えているので、上述した記録媒体駆動装置と同様の作用および効果を享受できる。
また、記録媒体駆動装置の小型化が図れるので、プロジェクタに記録媒体駆動装置を搭載した場合であっても、プロジェクタが大型化することを回避できる。
【発明を実施するための最良の形態】
【００１２】
以下、本発明の実施の一形態を図面に基づいて説明する。
〔プロジェクタの概略構成〕
図１は、プロジェクタ１の概略構成を模式的に示す図である。
プロジェクタ１は、光源から射出される光束を画像情報に応じて変調してカラー画像（光学像）を形成し、このカラー画像をスクリーン（図示略）上に拡大投射するものである。このプロジェクタ１は、図１に示すように、略直方体状の外装筺体２と、投射光学装置としての投射レンズ３と、光学ユニット４と、記録媒体駆動装置５等を備える。
なお、図１において、具体的な図示は省略したが、外装筺体２内において、投射レンズ３、光学ユニット４、および記録媒体駆動装置５以外の空間には、プロジェクタ１内部の各構成部材に電力を供給する電源ユニット、プロジェクタ１内部の各構成部材を冷却する冷却ファン等を備えた冷却ユニット、およびプロジェクタ１内部の各構成部材を制御する制御装置等が配置されるものとする。
【００１３】
外装筺体２は、射出成型等による合成樹脂製品であり、プロジェクタ１の天面、前面、背面、および側面をそれぞれ構成するアッパーケース、およびプロジェクタ１の底面、前面、背面、および側面をそれぞれ構成するロアーケース等で構成される。そして、各ケースは、互いにねじ等で固定されている。
なお、外装筺体２は、合成樹脂製に限らず、その他の材料にて形成してもよく、例えば、金属等により構成してもよい。
投射レンズ３は、複数のレンズを組み合わせた組レンズとして構成され、光学ユニット４にて形成されたカラー画像をスクリーン（図示略）上に拡大投射する。
【００１４】
光学ユニット４は、図１に示すように、外装筺体２の背面に沿って延出するとともに、外装筺体２の側面に沿って延出する平面視略Ｌ字形状を有し、前記制御装置による制御の下、光源から射出された光束を光学的に処理して画像情報に対応したカラー画像を形成するユニットである。この光学ユニット４は、図１に示すように、光源装置４１と、均一照明光学装置４２と、色分離光学装置４３と、リレー光学装置４４と、光学装置４５と、光学部品用筐体４６とを備える。
【００１５】
光源装置４１は、前記制御装置による制御の下、点灯し、均一照明光学装置４２に向けて光束を射出する。この光源装置４１は、図１に示すように、光源ランプ４１１およびリフレクタ４１２を有する光源装置本体４１Ａと、平行化レンズ４１３と、これら各部材４１１〜４１３を内部に収納するランプハウジング４１４とを備える。これら各部材４１１〜４１３は、光学部品用筐体４６に接続するランプハウジング４１４に収納配置されることで、光学部品用筐体４６に対する所定位置（光源装置４１から射出される光束の中心軸と光学部品用筐体４６内に設定された照明光軸Ａとが一致する位置）に位置決めされる。そして、光源ランプ４１１から射出された放射状の光束は、リフレクタ４１２にて反射され、平行化レンズ４１３を介して平行光とされる。
なお、図１では、リフレクタ４１２を、楕円面リフレクタとして構成していたが、これに限らず、光源ランプ４１１から射出された光束を略平行光として反射するパラボラリフレクタとして構成しても構わない。この場合には、平行化レンズ４１３を省略する。
【００１６】
均一照明光学装置４２は、光源装置４１から射出された光束を、光学装置４５を構成する後述する液晶パネルの画像形成領域に略均一に照明するための光学系である。この均一照明光学装置４２は、図１に示すように、第１レンズアレイ４２１と、第２レンズアレイ４２２と、偏光変換素子４２３と、重畳レンズ４２４とを備える。
第１レンズアレイ４２１は、入射光軸方向から見て略矩形状の輪郭を有する第１小レンズが、入射光軸に対し略直交する面内においてマトリクス状に配列された構成を有している。各第１小レンズは、光源装置４１から射出される光束を複数の部分光束に分割している。
第２レンズアレイ４２２は、第１レンズアレイ４２１と略同様な構成を有しており、第２小レンズがマトリクス状に配列された構成を有している。この第２レンズアレイ４２２は、重畳レンズ４２４とともに、第１レンズアレイ４２１の各第１小レンズの像を光学装置４５の後述する液晶パネル上に結像させる機能を有している。
【００１７】
偏光変換素子４２３は、第２レンズアレイ４２２と重畳レンズ４２４との間に配置され、第２レンズアレイ４２２からの光を略１種類の偏光光に変換するものである。
具体的に、偏光変換素子４２３によって略１種類の偏光光に変換された各部分光は、重畳レンズ４２４によって最終的に光学装置４５の後述する液晶パネル上にほぼ重畳される。偏光光を変調するタイプの液晶パネルを用いたプロジェクタでは、１種類の偏光光しか利用できないため、ランダムな偏光光を発する光源装置４１からの光の略半分を利用できない。このため、偏光変換素子４２３を用いることで、光源装置４１からの射出光を略１種類の偏光光に変換し、光学装置４５での光の利用効率を高めている。
【００１８】
色分離光学装置４３は、図１に示すように、２枚のダイクロイックミラー４３１，４３２と、反射ミラー４３３とを備え、ダイクロイックミラー４３１，４３２により均一照明光学装置４２から射出された複数の部分光束を、赤、緑、青の３色の色光に分離する機能を有している。
リレー光学装置４４は、図１に示すように、入射側レンズ４４１、リレーレンズ４４３、および反射ミラー４４２，４４４を備え、色分離光学装置４３で分離された赤色光を光学装置４５の後述する赤色光用の液晶パネルまで導く機能を有している。
【００１９】
この際、色分離光学装置４３のダイクロイックミラー４３１では、均一照明光学装置４２から射出された光束の青色光成分が反射するとともに、赤色光成分と緑色光成分とが透過する。ダイクロイックミラー４３１によって反射した青色光は、反射ミラー４３３で反射し、フィールドレンズ４２５を通って光学装置４５の後述する青色光用の液晶パネルに達する。
このフィールドレンズ４２５は、第２レンズアレイ４２２から射出された各部分光束をその中心軸（主光線）に対して平行な光束に変換する。他の緑色光用、赤色光用の液晶パネルの光束入射側に設けられたフィールドレンズ４２５も同様である。
【００２０】
ダイクロイックミラー４３１を透過した赤色光と緑色光のうちで、緑色光はダイクロイックミラー４３２によって反射し、フィールドレンズ４２５を通って光学装置４５の後述する緑色光用の液晶パネルに達する。一方、赤色光はダイクロイックミラー４３２を透過してリレー光学装置４４を通り、さらにフィールドレンズ４２５を通って光学装置４５の後述する赤色光用の液晶パネルに達する。
なお、赤色光にリレー光学装置４４が用いられているのは、赤色光の光路の長さが他の色光の光路の長さよりも長いため、光の発散等による光の利用効率の低下を防止するためである。すなわち、入射側レンズ４４１に入射した部分光束をそのまま、フィールドレンズ４２５に伝えるためである。
【００２１】
光学装置４５は、入射した光束を画像情報に応じて変調して画像光（カラー画像）を形成するものである。この光学装置４５は、図１に示すように、光変調装置としての３枚の液晶パネル４５１（赤色光用の液晶パネルを４５１Ｒ、緑色光用の液晶パネルを４５１Ｇ、青色光用の液晶パネルを４５１Ｂとする）と、各液晶パネル４５１の光束入射側および光束射出側にそれぞれ配置される入射側偏光板４５２および射出側偏光板４５３と、色合成光学装置としてのクロスダイクロイックプリズム４５４とを備える。
【００２２】
入射側偏光板４５２は、色分離光学装置４３で分離された各色光のうち、偏光変換素子４２３で揃えられた偏光方向と略同一方向の偏光方向を有する偏光光のみ透過させ、その他の光束を吸収するものであり、具体的な図示は省略するが、透光性基板上に偏光膜が貼付されて構成されている。
液晶パネル４５１は、具体的な図示は省略するが、一対の透明なガラス基板に電気光学物質である液晶が密閉封入された構成を有し、前記制御装置からの駆動信号に応じて、前記液晶の配向状態が制御され、入射側偏光板４５２から射出された偏光光束の偏光方向を変調する。
【００２３】
射出側偏光板４５３は、入射側偏光板４５２と同様の構成を有し、液晶パネル４５１から射出された光束のうち、入射側偏光板４５２における光束の透過軸と直交する偏光方向を有する光束のみ透過させ、その他の光束を吸収するものである。
クロスダイクロイックプリズム４５４は、射出側偏光板４５３から射出された色光毎に変調された変調光を合成して画像光（カラー画像）を形成する光学素子である。このクロスダイクロイックプリズム４５４は、４つの直角プリズムを貼り合わせた平面視正方形状をなし、直角プリズム同士を貼り合わせた界面には、２つの誘電体多層膜が形成されている。これら誘電体多層膜は、液晶パネル４５１Ｇから射出され射出側偏光板４５３を介した色光を透過し、各液晶パネル４５１Ｒ，４５１Ｂから射出され各射出側偏光板４５３を介した各色光を反射する。このようにして、各色光が合成されてカラー画像が形成される。そして、クロスダイクロイックプリズム４５４で形成されたカラー画像は、上述した投射レンズ３によりスクリーン等へ拡大投射される。
【００２４】
光学部品用筐体４６は、内部に所定の照明光軸Ａ（図１）が設定された筺体であり、上述した各光学部品４２〜４５を照明光軸Ａに対する所定位置に収納配置する。
【００２５】
〔記録媒体駆動装置の構成〕
図２および図３は、記録媒体駆動装置５の構成を示す図である。具体的に、図２は、外装筺体２の側面から記録媒体駆動装置５を見た図である。図３は、記録媒体駆動装置５の構成を示す分解斜視図である。なお、図２および図３では、記録媒体駆動装置５へのメモリカードＭＣ（図６参照）の挿通方向をＺ軸とし、このＺ軸に直交する２軸をそれぞれＸ軸（水平軸）およびＹ軸（鉛直軸）とする。以下の図も同様のものとする。
記録媒体駆動装置５は、記録媒体としてのメモリカードＭＣを挿抜可能とし、メモリカードＭＣが装着された状態でメモリカードＭＣと電気的に接続し、前記制御装置による制御の下、メモリカードＭＣを駆動（メモリカードＭＣの記憶領域にアクセス（読み書き等））可能とする装置である。この記録媒体駆動装置５は、図２または図３に示すように、ベゼル５１と、一対の蓋体５２（＋Ｙ軸方向側（上方側）に配設される蓋体を５２Ａとし、−Ｙ軸方向側（下方側）に配設される蓋体を５２Ｂとする）と、カードコネクタ５３（図３）等を備える。
【００２６】
図４は、ベゼル５１と一対の蓋体５２との接続構造を記録媒体駆動装置５の内部側から見た分解斜視図である。
ベゼル５１は、図２ないし図４に示すように、平面視矩形状の板体で構成され、外装筺体２の側面（図１中、前方から見て左側の側面）に露出するように配設される。
このベゼル５１において、略中央部分には、図２ないし図４に示すように、メモリカードＭＣを内部に挿通可能とする平面視矩形状の開口部５１１が形成されている。
【００２７】
この開口部５１１において、Ｙ軸方向両縁部（上下縁部）のＸ軸方向（左右方向）略中央部分には、図２ないし図４に示すように、Ｙ軸方向に窪む凹部５１１１が形成されている。
また、この開口部５１１において、Ｙ軸方向両縁部には、図２または図３に示すように、＋Ｚ軸方向（メモリカードＭＣの挿通方向）に向かうにしたがって、Ｙ軸方向両縁部の離間寸法が小さくなるように、傾斜面５１１２が形成されている。
以上のような凹部５１１１および傾斜面５１１２を形成しておくことで、メモリカードＭＣを利用者が手（指）で把持した状態で開口部５１１を介して記録媒体駆動装置５にメモリカードＭＣを挿抜する際、利用者の手がベゼル５１に機械的に干渉することを回避する構造を実現している。
【００２８】
また、このベゼル５１において、開口部５１１周縁部分には、図４に示すように、開口部５１１を囲み、＋Ｚ軸方向に突出する平面視矩形枠状の蓋体取付部５１２が形成されている。
蓋体取付部５１２は、Ｘ軸を回動軸として一対の蓋体５２を回動自在に軸支する部分である。そして、蓋体取付部５１２におけるＸ軸方向に交差する各端面には、図４に示すように、Ｘ軸方向に互いに対向し、一対の蓋体５２のうち蓋体５２Ａを軸支するための一対の軸受け孔５１２Ａと、蓋体５２Ｂを軸支するための一対の軸受け孔５１２Ｂとが形成されている。
【００２９】
さらに、このベゼル５１において、Ｘ軸方向両端部側には、図２ないし図４に示すように、ベゼル５１を外装筺体２の側面に固定するための固定用孔５１３がそれぞれ形成されている。そして、各固定用孔５１３を介して図示しない固定ねじを外装筺体２の側面に螺合することで、ベゼル５１が外装筺体２の側面に露出した状態で固定される。
【００３０】
一対の蓋体５２は、ベゼル５１の蓋体取付部５１２に回動自在に取り付けられ、メモリカードＭＣの記録媒体駆動装置５への挿抜時において、メモリカードＭＣに当接し、メモリカードＭＣの挿抜に連動してベゼル５１の開口部５１１を閉塞する閉位置Ｃｐ（図６参照）、および開口部５１１を開放する開位置Ｏｐ（図６参照）を回動する。
蓋体５２Ａは、図３または図４に示すように、平面視略矩形状の板体で構成されている。そして、蓋体５２Ａには、図３または図４に示すように、Ｘ軸方向に交差する各端面における＋Ｙ軸方向側にＸ軸に沿って突出し、ベゼル５１の蓋体取付部５１２に形成された一対の軸受け孔５１２Ａに嵌合可能とする軸部５２１がそれぞれ形成されている。そして、蓋体５２Ａは、各軸部５２１を蓋体取付部５１２の一対の軸受け孔５１２Ａに嵌合させることで、Ｘ軸を回動軸として回動可能に軸支される。
【００３１】
この蓋体５２Ａにおいて、閉位置Ｃｐにおいて、蓋体５２Ｂに対向する端部のＸ軸方向略中央部分には、図２ないし図４に示すように、突出部５２２および凹部５２３が形成されている。
図５は、突出部５２２の先端部分の形状を示す断面図である。
突出部５２２は、図２ないし図４に示すように、閉位置Ｃｐにおいて、蓋体５２Ｂに向けて突出し、基端側から先端側に向かうにしたがってＸ軸方向の寸法が次第に小さくなる平面視略台形形状を有する。
この突出部５２２において、先端部分におけるベゼル５１側（−Ｚ軸方向側）の角部分は、図５に示すように、面取りされて曲面形状を有する曲面部５２２Ａが形成されている。
この曲面部５２２Ａとしては、蓋体５２Ａの厚み寸法よりも大きい曲率半径を有する曲面状に形成されたものが好ましい。
凹部５２３は、図２ないし図４に示すように、突出部５２２に連接して形成され、突出部５２２に対応する形状（平面視略台形形状）を有し、閉位置Ｃｐにおいて、蓋体５２Ｂの突出部５２２が配置される部分である。
【００３２】
蓋体５２Ｂは、図２ないし図４に示すように、蓋体５２Ａと略同様の形状で各軸部５２１、突出部５２２（曲面部５２２Ａを含む）、および凹部５２３を有し、各軸部５２１がＸ軸方向に交差する各端面における−Ｙ軸方向側に形成され、突出部５２２および凹部５２３が蓋体５２Ａとは互い違いとなる位置にそれぞれ形成されている点が蓋体５２Ａと異なるのみである。そして、蓋体５２Ｂは、各軸部５２１を蓋体取付部５１２の一対の軸受け孔５１２Ｂに嵌合させることで、Ｘ軸を回動軸として回動可能に軸支される。
【００３３】
そして、上述した一対の蓋体５２は、蓋体取付部５１２に取り付けられた状態で、一対の付勢部材としてのコイルばね５２Ｃ（図３、図４）により、閉位置Ｃｐに向けて付勢された状態となっている。より具体的に、各コイルばね５２Ｃは、各蓋体５２Ａ，５２Ｂにおけるベゼル５１から離間した側の端面において、各突出部５２２に対向する位置（蓋体５２Ａであれば上方側、蓋体５２Ｂであれば下方側）に一端が固定される。また、各コイルばね５２Ｃは、ベゼル５１の＋Ｚ軸方向端面における開口部５１１周縁部分に他端が固定される。そして、各コイルばね５２Ｃは、各蓋体５２Ａ，５２Ｂを閉位置Ｃｐに向けて付勢する。
【００３４】
カードコネクタ５３は、ベゼル５１の開口部５１１に対向するように外装筺体２内部に固定され、ベゼル５１の開口部５１１を介して挿入されたメモリカードＭＣが装着（図示しないコネクタ部と電気的に接続）される部分である。このカードコネクタ５３は、図３に示すように、Ｘ軸方向に延出する基部５３１と、基部５３１のＸ軸方向両端部から−Ｚ軸方向に延出する一対の延出部５３２と、基部５３１および一対の延出部５３２で形成されるコ字状内側部分の−Ｙ軸方向側を閉塞する底部５３３とが一体的に形成されている。
この底部５３３において、−Ｚ軸方向端縁は、図３に示すように、Ｘ軸方向略中央部分が＋Ｚ軸方向に窪み略Ｖ字形状を有するように形成されている。すなわち、このような形状により、各蓋体５２Ａ，５２Ｂの回動時において、各蓋体５２Ａ，５２Ｂの各突出部５２２が底部５３３に機械的に干渉することを回避する構造を実現している。
【００３５】
基部５３１、一対の延出部５３２、および底部５３３とで囲まれる空間Ａｒ（図３）は、メモリカードＭＣの挿入方向先端部分の形状と略同一の形状を有し、メモリカードＭＣが装填される空間となる。また、一対の延出部５３２において、互いに対向する端面には、図３に示すように、溝部５３２Ａがそれぞれ形成され、該溝部５３２Ａに沿ってメモリカードＭＣを空間Ａｒに向けてスライドさせて装着させる構造となっている。このようにメモリカードＭＣを空間Ａｒに向けて装着させることで、空間Ａｒに設けられた図示しないコネクタ部とメモリカードＭＣの図示しない接続端子とが電気的に接続し、前記制御装置による制御の下、メモリカードＭＣの記憶領域にアクセス（読み書き）可能となる。
【００３６】
図６は、記録媒体駆動装置５にメモリカードＭＣを挿抜する様子を示す断面図である。具体的に、図６は、記録媒体駆動装置５において、蓋体５２Ａの突出部５２２の形成位置を通るＹＺ平面を切断面とし、Ｘ軸方向から見た断面図である。なお、図６では、説明の便宜上、コイルばね５２Ｃを省略している。また、図６では、閉位置Ｃｐにおいて、蓋体５２Ａを２点鎖線、蓋体５２Ｂを１点鎖線で示している。
記録媒体駆動装置５にメモリカードＭＣが挿入されていない状態では、図６に示すように、各蓋体５２Ａ，５２Ｂは、各コイルばね５２Ｃによる付勢力により、閉位置Ｃｐに位置付けられる。
【００３７】
そして、利用者により記録媒体駆動装置５にメモリカードＭＣが挿入されると、各蓋体５２Ａ，５２Ｂは、メモリカードＭＣの挿入方向先端部分からの押圧力により、各コイルばね５２Ｃの付勢力に抗して矢印Ｒ方向に回動し、開位置Ｏｐに位置付けられる。そして、利用者によりメモリカードＭＣがさらに挿入されることで、メモリカードＭＣの上下端面が各蓋体５２Ａ，５２Ｂの各突出部５２２における各曲面部５２２Ａ上を摺動しつつ、メモリカードＭＣがカードコネクタ５３に装着される。
また、利用者によりメモリカードＭＣの挿入方向基端部分が把持され記録媒体駆動装置５からメモリカードＭＣが取り外される際には、上記とは逆に、メモリカードＭＣの上下端面が各蓋体５２Ａ，５２Ｂの各突出部５２２における各曲面部５２２Ａ上を摺動しつつ、メモリカードＭＣがカードコネクタ５３から取り外される。そして、利用者により記録媒体駆動装置５からメモリカードＭＣが引き抜かれることで、各蓋体５２Ａ，５２Ｂは、各コイルばね５２Ｃによる付勢力により、再度、閉位置Ｃｐに位置付けられる。
【００３８】
上述した実施形態によれば、以下の効果がある。
本実施形態では、記録媒体駆動装置５は、ベゼル５１と、一対の蓋体５２とを備え、一対の蓋体５２によりベゼル５１の開口部５１１を閉塞可能とする。このことにより、一対の蓋体５２にて開口部５１１を閉塞する構成とすることで、従来の１枚の蓋体を用いた構成と比較して、各蓋体５２Ａ，５２Ｂの外形寸法（回動軸（Ｘ軸）に直交する方向の寸法）を小さくできる。このため、各蓋体５２Ａ，５２Ｂの外形寸法（回動軸（Ｘ軸）に直交する方向の寸法）を小さくした分、ベゼル５１とメモリカードＭＣが装着されるカードコネクタ５３との間隔を小さくでき、記録媒体駆動装置５の小型化が図れるとともに、メモリカードＭＣの取り外しを容易とする。
また、記録媒体駆動装置５の小型化が図れるので、プロジェクタ１に記録媒体駆動装置５を搭載した場合であっても、プロジェクタ１が大型化することを回避できる。
【００３９】
また、一対の蓋体５２における互いに対向する各端部には、突出部５２２がそれぞれ形成されている。すなわち、一対の蓋体５２は、開位置Ｏｐにおいて、各突出部５２２の先端部分がメモリカードＭＣに当接する構成となる。このことにより、各突出部５２２により、各蓋体５２Ａ，５２Ｂを部分的に大きい外形寸法（回動軸（Ｘ軸）に直交する方向の寸法）とし、開位置Ｏｐにおいて、各蓋体５２Ａ，５２ＢとメモリカードＭＣとの成す角度を比較的に小さいものとすることができる。このため、メモリカードＭＣを記録媒体駆動装置５から取り外す場合に、各蓋体５２Ａ，５２Ｂ（各突出部５２２）の先端部分がメモリカードＭＣに引っ掛かってしまうことを回避でき、メモリカードＭＣの取り外しを良好に実施できる。
さらに、一対の蓋体５２における互いに対向する各端部には、他方の蓋体５２の突出部５２２に対応して凹部５２３がそれぞれ形成されている。このことにより、閉位置Ｃｐにおいて、各蓋体５２Ａ，５２Ｂ（各突出部５２２）が機械的に干渉することを回避し、各蓋体５２Ａ，５２Ｂにて開口部５１１を良好に閉塞できる。
【００４０】
また、各突出部５２２の先端部分には、曲面部５２２Ａがそれぞれ形成されている。すなわち、一対の蓋体５２は、開位置Ｏｐにおいて、曲面部５２２ＡがメモリカードＭＣに当接する構成となる。このことにより、例えば曲面部５２２Ａを形成しない構成と比較して、メモリカードＭＣを記録媒体駆動装置５から取り外す場合に、各蓋体５２Ａ，５２Ｂの先端部分がメモリカードＭＣに引っ掛かってしまうことを回避でき、メモリカードＭＣの取り外しをさらに良好に実施できる。
【００４１】
そして、記録媒体駆動装置５は、カード状の記録媒体であるメモリカードＭＣが装着されることでメモリカードＭＣを駆動（メモリカードＭＣの記憶領域にアクセス（読み書き等））可能とする装置で構成されている。本実施形態では、上述したように、ベゼル５１とカードコネクタ５３との間隔を小さくできるため、メモリカードＭＣを取り出す際、開口部５１１からのメモリカードＭＣの突出量を十分に確保できる。このため、利用者は、開口部５１１から突出したメモリカードＭＣを手（指）で把持し易く、メモリカードＭＣを記録媒体駆動装置５から取り出し易いものとなる。
【００４２】
なお、本発明は前述の実施形態に限定されるものではなく、本発明の目的を達成できる範囲での変形、改良等は本発明に含まれるものである。
前記実施形態では、記録媒体として、メモリカードＭＣを採用していたが、これに限らず、モデムカードやネットワークカード等のＰＣカード、ＩＣカード、クレジットカード、キャッシュカード、プリペイドカード等のカード状の記録媒体や、ＤＶＤ、ＣＤ、ＭＯ等のディスク状の記録媒体を採用しても構わない。
【００４３】
前記実施形態では、一対の蓋体５２には、突出部５２２および曲面部５２２Ａの双方が形成されていたが、これに限らず、曲面部５２２Ａを形成しない構成や、突出部５２２および凹部５２３を形成せずに記録媒体を装着した際（開位置Ｏｐの状態の際）に記録媒体に当接する部分に曲面部を形成した構成を採用しても構わない。
前記実施形態では、突出部５２２および凹部５２３は、Ｘ軸方向略中央部分に形成されていたが、これに限らず、一対の蓋体における互いに対向する各端部であれば、いずれの位置に形成しても構わない。
前記実施形態では、記録媒体駆動装置５は、外装筺体２の側面（図１中、前方から見て左側の側面）にベゼル５１が露出するように配設されていたが、これに限らず、例えば、外装筺体２の前面や背面にベゼル５１が露出するように配設した構成としても構わない。
【００４４】
前記実施形態では、光源装置４１は、放電発光型の光源装置で構成していたが、これに限らず、レーザダイオード、ＬＥＤ(Light Emitting Diode)、有機ＥＬ(Electro Luminescence)素子、シリコン発光素子等の各種固体発光素子を採用してもよい。
また、前記実施形態では、光源装置４１を１つのみ用い色分離光学装置４３にて３つの色光に分離していたが、色分離光学装置４３を省略し、３つの色光をそれぞれ射出する３つの前記固体発光素子を光源装置として構成してもよい。
前記実施形態では、色合成光学装置としてクロスダイクロイックプリズム４５４を採用していたが、これに限らず、ダイクロイックミラーを複数用いることで各色光を合成する構成を採用してもよい。
【００４５】
前記実施形態では、プロジェクタ１は、液晶パネル４５１を３つ備える三板式のプロジェクタで構成していたが、これに限らず、液晶パネルを１つ備える単板式のプロジェクタで構成しても構わない。また、液晶パネルを２つ備えるプロジェクタや、液晶パネルを４つ以上備えるプロジェクタとして構成しても構わない。
前記実施形態では、光入射面と光射出面とが異なる透過型の液晶パネルを用いていたが、光入射面と光射出面とが同一となる反射型の液晶パネルを用いてもよい。
前記実施形態では、光変調装置として液晶パネルを用いていたが、マイクロミラーを用いたデバイスなど、液晶以外の光変調装置を用いてもよい。この場合は、光束入射側および光束射出側の偏光板４５２，４５３は省略できる。
【００４６】
前記実施形態では、スクリーンを観察する方向から投射を行うフロントタイプのプロジェクタの例のみを挙げたが、本発明は、スクリーンを観察する方向とは反対側から投射を行うリアタイプのプロジェクタにも適用可能である。
前記実施形態では、記録媒体駆動装置５をプロジェクタ１に搭載した構成を説明したが、これに限らず、記録媒体駆動装置５の単体で構成してもよく、プロジェクタ以外のその他の電子機器、例えば、パーソナルコンピュータ等に搭載しても構わない。
【００４７】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想及び目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００４８】
本発明の記録媒体駆動装置は、小型化が図れるとともに、記録媒体の取り外しを容易とするため、プレゼンテーションやホームシアタに用いられるプロジェクタの記録媒体駆動装置として利用できる。
【図面の簡単な説明】
【００４９】
【図１】本実施形態におけるプロジェクタの概略構成を模式的に示す図。
【図２】前記実施形態における記録媒体駆動装置の構成を示す図。
【図３】前記実施形態における記録媒体駆動装置の構成を示す図。
【図４】前記実施形態におけるベゼルと一対の蓋体との接続構造を記録媒体駆動装置の内部側から見た分解斜視図。
【図５】前記実施形態における突出部の先端部分の形状を示す断面図。
【図６】前記実施形態における記録媒体駆動装置にメモリカードを挿抜する様子を示す断面図。
【符号の説明】
【００５０】
１・・・プロジェクタ、３・・・投射レンズ（投射光学装置）、５・・・記録媒体駆動装置、４１・・・光源装置、５１・・・ベゼル、５２，５２Ａ，５２Ｂ・・・蓋体、４５１・・・液晶パネル（光変調装置）、５１１・・・開口部、５２２・・・突出部、５２２Ａ・・・曲面部、５２３・・・凹部、Ｃｐ・・・閉位置、Ｏｐ・・・開位置、ＭＣ・・・メモリカード（記録媒体）。
【図１】
2008146443.tif 000003
【図２】
2008146443.tif 000004
【図３】
2008146443.tif 000005
【図４】
2008146443.tif 000006
【図５】
2008146443.tif 000007
【図６】
2008146443.tif 000008